(57)【要約】本発明は、液状リップスティック容器に関し、支持体を取って容器本体を回転させる時に、昇降ガイド部材が一緒に回転することにより、ポンピングガイド部材が昇降され、ポンピング作用が行われるように構成されることで、簡単な構造を通じて液状の内容物を吐出することが可能であり、上部アプリケータを通じて内容物を唇に塗布する時、使用性を向上させることができる。
2017518100.tif 000002
【特許請求の範囲】
【請求項１】
液状の内容物が貯蔵され、内容物の使用によって容積が減少する容器本体と、
前記容器本体の上部に結合され、前記容器本体が回転する時に、一緒に回転し、内側中央部には、前記容器本体に貯蔵された内容物が流入される内容物流入ホールを開閉するように、第1チェックバルブが設置された内容物流入部が具備され、上部にはまわりに沿って上下に交互に形成される昇降ガイド突起が突出し形成される昇降ガイド部材と、
前記昇降ガイド部材の回転により昇降され、昇降によって前記内容物流入部の内部圧力を変化させ、ポンピング作用を誘導するポンピングガイド部材と、
前記容器本体の上部で前記昇降ガイド部材及びポンピングガイド部材を覆って結合され、内周面に前記ポンピングガイド部材の垂直移動をガイドする垂直ガイド溝が形成される支持体と、及び
前記支持体の上部に結合され、液状の内容物で塗布するため、内容物が吐出されるように吐出ホールが形成されるアプリケータと;を含むことを特徴とする液状リップスティック容器。
【請求項２】
前記ポンピングガイド部材は、
前記昇降ガイド部材の回転により、前記昇降ガイド突起の上面に沿って移動し、前記垂直ガイド溝に挿入され、昇降されるポンピングガイド突起と、
前記ポンピングガイド突起が上昇するによって一緒に上昇し、前記内容物流入部の内部圧力を変化させ、前記容器本体に貯蔵された内容物を吸入する内容物吸入管と、及び
前記内容物吸入管を通じて上部に移動する内容物が貯蔵される空間を形成し、前記内容物吸入管の上端部を開閉するように、第2チェックバルブが設置されるバルブ設置部と、を含むことを特徴とする請求項１に記載の液状リップスティック容器。
【請求項３】
前記昇降ガイド突起の下死点の両側には、前記容器本体の逆回転を防止するための係止部が形成されることを特徴とする請求項１に記載の液状リップスティック容器。
【請求項４】
前記内容物流入部の外周面には、前記内容物流入部に密着され、その内周面には、前記内容物流入管に密着され、前記内容物流入部と内容物吸入管の間の離隔空間を密閉する密閉部材が結合されることを特徴とする請求項2に記載の液状リップスティック容器。
【請求項５】
前記内容物吸入管は、前記ポンピングガイド部材が下降した状態で、前記第1チェックバルブを加圧し、第1チェックバルブの開放を遮断することを特徴とする請求項2に記載の液状リップスティック容器。
【請求項６】
前記ポンピングガイド部材の上部には、前記バルブ設置部に流入された内容物が、
前記アプリケータに移動するように、前記ポンピングガイド部材とアプリケータを連通させる内容物移動部が結合されることを特徴とする請求項2に記載の液状リップスティック容器。
【請求項７】
前記ポンピングガイド部材の上部には、前記内容物移動部の外側で内容物移動部を覆って位置し、前記ポンピングガイド突起が前記昇降ガイド突起の上死点から下死点へ移動する過程で、下方向へ弾性力を提供し、ポンピングガイド部材を下降させるスプリングが具備されることを特徴とする請求項6に記載の液状リップスティック容器。
【発明の詳細な説明】
【技術分野】
【０００１】
本発明は、液状リップスティック容器に関し、より詳細には、支持体を取って容器本体を回転させる時に、昇降ガイド部材が一緒に回転することにより、ポンピングガイド部材が昇降され、ポンピング作用が行われるように構成されることで、簡単な構造を通じて液状の内容物を吐出することが可能であり、上部アプリケータを通じて内容物の塗布する時、使用性を向上させることができる液状リップスティック容器に関する。
【背景技術】
【０００２】
一般的に固形リップスティックは、蓋を開けた後、容器の下部を回転させ、固形のスティック（stick）を容器外部へ昇降させることができるようにしたものである。例えばリップスティックを使用するとき、まず容器の蓋を開けた後、下部を回転させてスティックを上昇させ、外部に突出させ、使用後にはスティックを下降させ、容器内にスティックが収容するようになっている。
【０００３】
しかし、このような固形スティックは、外部空気の接触によって、成分が容易に変質されるという問題があった。
【０００４】
また、他の従来のリップスティックは、マニキュアのように液状のリップスティックをブラシにつけて使用したが、これも外部空気の接触によって易しく変質されるという問題があった。
【０００５】
前記のような問題点を解決するための「液状リップスティック容器」が登録実用新案第20-0367724号（以下、登録実用新案という）に開示されている。
【０００６】
前記登録実用新案は、液状リップスティックを収容する液状リップスティック収容管（10）と、この液状リップスティック収容管に収容され、液状リップスティックを加圧するピストン（20）と、このピストン（20）を押して液状リップスティック（M）に圧力をかけるように作動するピストンロッド（30）と、このピストンロッド（30）を作動させる可動ハウジング（40）と、リップスティックのブラシ（51）を支持するブラシ支持キャップ（50）、及びリップスティックブラシ（51）を密閉させる蓋（20）で構成される液状リップスティック容器である。
【０００７】
そして、前記液状リップスティック収容管（10）は、下端部の内側にネジ部（13）を備え、外側端部に外向き突起（12）を備える一対の弾性脚部（11）が形成され、前記ピストンロッド（30）は、前記弾性脚部（11）にネジ結合されるねじ部（32）を備え、下端部に作動突起（33）が形成され、前記可動ハウジング（40）は、前記作動突起（33）を押すように、内部には作動リブ（41）が形成されて構成されることが特徴である。
【０００８】
前記登録実用新案は、可動ハウジング（40）の回転によって、ピストンロッド（30）が上昇することにより、ピストンロッド（30）の上端部の矩形突起（31）と結合されたピストン（20）が上方向へ移動するようになり、押出式で液状の内容物を吐出するように構成され、押出式で内容物を吐出するための作動リブ（41）、作動突起（33）、一対の弾性脚部（11）などの構成が具備されなければならないという、構造が複雑で組立工程が複雑なだけでなく、製造コストの上昇を招くという問題があった。
【０００９】
また、ピストンロッド（30）の長さだけ、スペースが確保されなければならないという、リップスティック容器が全体的に大きくなり、持ち運びが容易でないという問題があった。
【発明の概要】
【発明が解決しようとする課題】
【００１０】
本発明は、上述した問題点を解決するために考案されたもので、本発明の目的は、支持体を取って容器本体を回転させる時に、昇降ガイド部材が一緒に回転することにより、ポンピングガイド部材が昇降され、ポンピング作用が行われるように構成されることで、簡単な構造を通じて、液状の内容物を吐出することが可能であり、上部アプリケータを通じて内容物を塗布する時、使用性を向上させることができる液状リップスティック容器を提供する。
【課題を解決するための手段】
【００１１】
前記のような問題点を解決するために、本発明に係る液状リップスティック容器は、
液状の内容物が貯蔵され、内容物の使用によって容積が減少する容器本体と、
前記容器本体の上部に結合され、前記容器本体の回転する時、一緒に回転し、内側中央部には、前記容器本体に貯蔵された内容物が、流入される内容物流入ホールを開閉するように、第1チェックバルブが設置された内容物流入部が具備され、上部には、まわりに沿って上下に交互に形成される昇降ガイド突起が、突出し形成される昇降ガイド部材と、
前記昇降ガイド部材の回転により昇降され、昇降によって前記内容物流入部の内部圧力を変化させ、ポンピング作用を誘導するポンピングガイド部材と、
前記容器本体の上部で前記昇降ガイド部材、及び、ポンピングガイド部材を覆って結合され、内周面に前記ポンピングガイド部材の垂直移動をガイドする垂直ガイド溝が形成される支持体と、
及び、前記支持体の上部に結合され、内容物を塗布し、内容物を吐出するように吐出ホールが形成されるアプリケータと、
を含むことを特徴とする。
【００１２】
また、前記ポンピングガイド部材は、前記昇降ガイド部材の回転により前記昇降ガイド突起の上面に沿って移動し、前記垂直ガイド溝に挿入され、昇降されるポンピングガイド突起と、
前記ポンピングガイド突起が上昇することによって一緒に上昇し、前記内容物流入部の内部圧力を変化させ、前記容器本体に貯蔵された内容物を吸引する内容物吸入管と、及び前記内容物吸入管を通じて上部へ移動する内容物が貯蔵される空間を形成し、前記内容物吸入管の上端部を開閉するように、第2チェックバルブが設置されるバルブ設置部と、を含むことを特徴とする。
【００１３】
また、前記昇降ガイド突起の下死点の両側には、前記容器本体の逆回転を防止するための係止部が形成されることを特徴とする。
【００１４】
また、前記内容物流入部には、その外周面は、前記内容物流入部に密着され、その内周面は、前記内容物流入管に密着され、前記内容物流入部と内容物吸入管の間の離隔空間を密閉する密閉部材が結合されることをを特徴とする。
【００１５】
また、前記内容物吸入管は、前記ポンピングガイド部材が下降した状態で、前記第1チェックバルブを加圧し、第1チェックバルブの開放を遮断することを特徴とする。
【００１６】
また、前記ポンピングガイド部材の上部には、前記バルブ設置部に流入された内容物が、前記アプリケーターへ移動するように、前記ポンピングガイド部材とアプリケータを連通させる内容物移動部が結合されることを特徴とする。
【００１７】
また、前記ポンピングガイド部材の上部には、前記内容物を移動部の外側で内容物移動部を覆って位置し、前記ポンピングガイド突起が前記昇降ガイド突起の上死点から下死点へ移動する過程で、下方向へ弾性力を提供し、ポンピングガイド部材を下降させるスプリングが具備されることを特徴とする。
【発明の効果】
【００１８】
以上のように、本発明によれば、支持体を取って容器本体を回転させる時、昇降ガイド部材が一緒に回転することにより、ポンピングガイド部材が昇降され、ポンピング作用が行われるように構成されることで、簡単な構造を通じて、液状の内容物を吐出することが可能であり、上部アプリケータを通じて内容物の塗布する時、使用性を向上させることができる長所がある。
【００１９】
また、二重チェックバルブ構造を通じて容器本体の内部に空気が流入されることを遮断できるだけでなく、第2チェックバルブの上部空間へ1回ポンピング作用をする時、吐出される内容物を貯蔵することが可能なので、常に一定量の内容物を吐出することができるという長所がある。
【図面の簡単な説明】
【００２０】
【図１】本発明の好ましい実施例による液状リップスティック容器の構成を示す分解斜視図である。
【図２】本発明の好ましい実施例による液状リップスティック容器の構成を示す組立斜視図である。
【図３】本発明の好ましい実施例による液状リップスティック容器の構成を示す断面図である。
【図４】本発明の好ましい実施例による液状リップスティック容器の作動状態を示す状態図である。
【図５】本発明の好ましい実施例による液状リップスティック容器の作動状態を示す状態図である。
【図６】本発明の好ましい実施例による液状リップスティック容器の作動状態を示す状態図である。
【図７】本発明の好ましい実施例による液状リップスティック容器のポンピングガイド突起が昇降ガイド突起によって昇降される過程を示す説明図である。
【発明を実施するための形態】
【００２１】
以下、図面を参照して、本発明を詳細に説明する。各図面に記載された同一の参照符号は同一の部材を示す。
【００２２】
図1は、本発明の好ましい実施例による液状リップスティック容器の構成を示す分解斜視図であり、図2は、本発明の好ましい実施例による液状リップスティック容器の構成を示す組立斜視図であり、図3は、本発明の好ましい実施例による液状リップスティック容器の構成を示す断面図である。
【００２３】
図1〜3を参照すると、本発明の好ましい実施例による液状リップスティック容器は、容器本体（100）、昇降ガイド部材（200）、ポンピングガイド部材（300）、支持体（400）、及び、アプリケータ（500）を含む。
【００２４】
前記容器本体（100）は、液状の内容物が貯蔵されているもので、内容物の使用によって容積が減少するように構成され、その内部に内容物の使用によって上昇するピストン（110）が設置されることができ、内容物の使用によって、吸着される軟質で構成される内容器が、容器本体（100）の内部に別途に結合されることも可能である。
【００２５】
本発明において、前記容器本体（100）は、後述する支持体（400）を把持した状態で回転可能なように構成されることを特徴として、ユーザーが容器本体（100）を回転させる時、その上部に結合される昇降ガイド部材（200）を一緒に回転させ、ポンピングガイド部材（300）の昇降を可能とする。
【００２６】
一方、前記容器本体（100）の上部には、吐出ホール（511）を通じて異物が流入されるとか、外部圧力により支持体（400）及びアプリケーター（500）などが破損されることを防止するために、支持体（400）及びアプリケーター（500）を覆うオーバーキャップ（800）が結合される。
【００２７】
前記昇降ガイド部材（200）は、前記容器本体（100）の上部に結合され、前記容器本体（100）が回転する時に、一緒に回転し、内側中央部に前記容器本体（100）に貯蔵された内容物が流入されるように内容物流入ホール（211）が形成された内容物流入部（210）が具備され、前記内容物流入部（210）には、前記内容物流入ホール（211）の上部に設置され、内容物流入部（210）の圧力変化によって、内容物流入ホール（211）を開閉する第1チェックバルブ（212）を具備する。
【００２８】
また、前記内容物流入部（210）の上部には、内容物流入部（210）と、後述する内容物吸入管（320）の間の離隔空間を密閉する密閉部材（700）が結合され、前記密閉部材（700）は、外周面は前記内容物流入部（210）に密着され、内周面は、内容物吸入管（320）に密着され、内容物流入部（210）と内容物吸入管（320）の間の離隔空間を密閉する。
【００２９】
本発明においては、前記昇降ガイド部材（200）の上部には、昇降ガイド部材  （200）の回転によって、後述するポンピングガイド部材（300）を昇降させる昇降ガイド突起（220）が利用されることが特徴で、前記昇降ガイド突起（220）は、昇降ガイド部材（200）の上端まわりに沿って、上下に交互に形成される一対が突出し形成され、ポンピングガイド突起（310）の移動をガイドし、ポンピングガイド突起（310）が昇降ガイド突起（220）の下死点（312）から上死点（311）へ移動する場合には（図７参照）、ポンピングガイド部材（300）が上昇し、ポンピングガイド突起（310）が昇降ガイド突起（220）の上死点（311）から下死点（312）へ移動する場合には、ポンピングガイド部材（300）が下降し、ポンピングガイド部材（300）が昇降する。
【００３０】
一方、前記昇降ガイド突起（220）は、容器本体（100）が両側方向に回転するように構成することができ、保管中に外部圧力によって、容器本体（100）が易しく回転され、内容物が吐出されるとか、チェックバルブが開放された状態で保管されるなどの作動上の安定性のために、いずれの一方向にのみ回転することが好ましい。このため、前記昇降ガイド突起（220）の下死点の両側には、前記容器本体  （100）の逆回転を防止するための係止部（221）が形成される。
【００３１】
前記ポンピングガイド部材（300）は、前記昇降ガイド部材（200）の回転により昇降され、昇降によって前記内容物流入部（210）の内部圧力を変化させ、ポンピング作用を誘導するもので、ポンピングガイド突起（310）、内容物吸入管（320）、バルブ設置部（330）を含む。
【００３２】
前記ポンピングガイド突起（310）は、前記ポンピングガイド部材（300）の両側面から一対が突出し形成されるもので、前記昇降ガイド突起（220）の上端に定置され、前記昇降ガイド部材（200）の回転時、前記昇降ガイド突起（220）の上面に沿って移動するようになり、この時、前記ポンピングガイド突起（310）は、支持体（400）の内側に形成された垂直ガイド溝（４２０）に挿入され、垂直移動ができる。
【００３３】
前記内容吸入管（320）は、前記ポンピングガイド突起（310）が上昇することによって一緒に上昇し、前記内容物流入部（210）の内部圧力を変化させ、前記容器本体に貯蔵された内容物を吸引するもので、内容物が移動することができるように内部が空いている管形状で形成される。
【００３４】
前記内容吸入管（320）は、その外周面が前記密閉部材（700）に密着した状態で昇降され、前記内容物流入部（210）の内部圧力を変化させ、第1チェックバルブ（212）が内容物流入ホール（211）を開閉することを可能とし、前記ポンピングガイド部材（300）が下降した状態では、前記第1チェックバルブ（212）の上端を加圧し、第1チェックバルブ（212）の開放を遮断する。
【００３５】
前記バルブ設置部（330）は、前記内容物吸入管（320）を通じて上部に移動する内容物が貯蔵される空間を形成し、前記内容物吸入管（320）の開放された上端部を開閉するように、第2チェックバルブ（ 331）が設置されるもので、前記第2チェックバルブ（331）は、前記ポンピングガイド部材（300）の上昇時には、前記内容物吸入管（320）の開放された上端部を閉鎖するようになり、ポンピングガイド部材（300）の下降時には、内容物の圧力により前記内容物吸入管（320）の開放された上端部を開放するように構成される。
【００３６】
一方、前記ポンピングガイド部材（300）の上部には、前記のバルブ設置部  （330）に流入された内容物がアプリケーター（500）に移動するようにポンピングガイド部材（300）とアプリケーター（500）を連通させる内容物移動部（600）が結合され、前記内容物移動部（600）は、ポンピングガイド部材（300）の上部に結合される結合部（610）と、結合部（610）から上部へ延長し形成され、アプリケーター（500）の吐出管（520）に昇降可能に結合され、内容物が移動する空間を形成する内容物移動管（620）で構成される。
【００３７】
前記内容物移動部（600）は、前記バルブ設置部（330）に流入された内容物がアプリケーター（500）に移動することができるように中空が形成される。
【００３８】
また、前記ポンピングガイド部材（300）の上部には、前記内容物移動部（600）の外側から内容物移動部（600）を覆って位置し、前記ポンピングガイド突起（310）が前記昇降ガイド突起（220）の上死点（311）から下死点（312）へ移動する過程で、下方向へ弾性力を提供し、ポンピングガイド部材（300）を下降させるスプリング（S）が具備され、前記スプリング（S）の下端は、前記ポンピングガイド部材（300）の上部に定置され、その上端は、支持体（400）の内部上側に支持され、前記ポンピングガイド突起（310）が前記昇降ガイド突起（220）の上面に沿って上昇時には、収縮され、前記ポンピングガイド突起（310）が前記昇降ガイド突起（220）の上面に沿って下降時には弛緩され、ポンピングガイド部材（300）に弾性力を提供する。
【００３９】
前記支持体（400）は、前記容器本体（100）の上部で前記昇降ガイド部材（200）及びポンピングガイド部材（300）を覆って結合されるもので、上部にはアプリケーター（500）が結合されることが可能なように中空（410）が形成され、内周面には、前記ポンピングガイド突起（310）の垂直移動をガイドする垂直ガイド溝（420）が形成される。
【００４０】
前記アプリケーター（500）は、前記支持体（400）の上部で中空（410）に結合され、ユーザーの唇に内容物を塗布するもので、上端には内容物を塗布するための塗布面（510）が形成され、前記塗布面（510）には、内容物が吐出されることができるように中央部に吐出ホール（511）が形成される。
【００４１】
また、前記アプリケーター（500）の内部上側には、前記内容物移動部（600）の内容物移動管（620）が昇降可能に結合されることができるように下部に延長される吐出管（520）が具備される。
【００４２】
以下では、図4〜7を参照して、本発明の好ましい実施例による液状リップスティック容器の作動過程を説明する。図4〜6は、本発明の好ましい実施例による液状リップスティック容器の作動状態を示す状態図であり、図7は、本発明の好ましい実施例による液状リップスティック容器のポンピングガイド突起が、昇降ガイド突起によって昇降される過程を示す説明図である。
【００４３】
図4〜7を参照すると、ユーザーが支持体（400）を把持した状態で、容器本体（100）を回転させると、容器本体（100）の上部に結合された昇降ガイド部材（200）が一緒に回転するようになり、これにより、昇降ガイド部材（200）の昇降ガイド突起（220）の上面に定置されたポンピングガイド突起（310）が昇降ガイド突起（220）の上面に沿って移動し、高さが変化されることで、ポンピングガイド部材（300）の昇降が行われるようになり、図7に示すように、ポンピングガイド突起（310）が昇降ガイド突起（220）の下死点（312）から上死点（311）へ移動する場合には、ポンピングガイド部材（300）が上昇するようになり、ポンピングガイド突起（310）が昇降ガイド突起（220）の上死点（311）から下死点（312）へ移動する場合には、ポンピングガイド部材（300）が下降するようになり、ポンピングガイド部材（300）が昇降する。
【００４４】
一方、図5に示すように、ポンピングガイド部材（300）が上昇すると、内容物吸入管（320）の上昇により内容物流入部（210）の内部圧力が変化し、第1チェックバルブ（212）が内容物流入ホール（211）を開放することになり、これにより、内容物流入ホール（211）を通じて内容物流入部（210）に容器本体（100）に貯蔵された内容物が流入する。このとき、バルブ設置部（330）に設置された第2チェックバルブ（331）は、内容物吸入管（320）の開放された上部を閉鎖した状態を維持し、ポンピングガイド部材（300）が上昇するによって、バルブ設置部（330）、内容物移動部（600）、及び、吐出管（520）に貯蔵された内容物の中で一部がアプリケーター（500）の吐出ホール（511）を通じて吐出する。
【００４５】
次に、図6に示すように、ポンピングガイド部材（300）が下降すると、内容物吸入管（320）の下降により内容物流入部（210）の内部圧力が変化し、第1チェックバルブ（212）が内容物流入ホール（211）を閉鎖する。この時、内容物吸入管（320）の下端部が第1チェックバルブ（212）の上端を加圧し、内容物流入ホール（211）の開放を遮断する。
【００４６】
この時、内容物吸入管（320）に吸入された内容物の圧力によって、バルブ設置部（330）に設置された第2チェックバルブ（331）が内容物吸入管（320）の開放された上部を開放し、内容物吸入管（320）の開放された上部を通じて、内容物吸入管（320）に吸入された内容物が、バルブ設置部（330）、内容物移動部（600）、及び、吐出管（520）に移動する
【００４７】
前述したように、本発明は、容器本体（100）を回転させる時、ポンピングガイド部材（300）の昇降によるポンピング作用により液状の内容物が吐出され、アプリケーター（500）を通じて内容物を唇に塗布できるように構成されることで、従来のスティック形態のリップスティック容器を使用することと同一の方法で、液状の内容物を導出して、唇のメイクができる。
【００４８】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形及び均等な他の実施例が可能であることを理解すべきである。また、本発明の真の技術的保護範囲は、添付された特許請求の範囲の技術的思想によって定められる。
【図１】
2017518100.tif 000003
【図２】
2017518100.tif 000004
【図３】
2017518100.tif 000005
【図４】
2017518100.tif 000006
【図５】
2017518100.tif 000007
【図６】
2017518100.tif 000008
【図７】
2017518100.tif 000009
【国際調査報告】
2017518100.tif 000010
2017518100.tif 000011
2017518100.tif 000012
2017518100.tif 000013